(57)【要約】【課題】グループ入会を実現することで、サービス上に友達の全くいない会員が流入することを防ぎ、会員制ネットワークサービスの運営上の諸問題を回避しつつ、不特定多数からの入会を受け付けることを可能にする。【解決手段】入会登録情報受付部１２は、ユーザ情報が入力されたユーザの数が、所定の数以上に達したか否かを判断する。所定数以上に達した場合、入会登録情報受付部１２は、保存していたユーザ情報を、会員データベース１３に格納する。これにより、同一グループの構成員が一括して本会員に登録される。【選択図】  図３
2008234166.tif 000002
【特許請求の範囲】
【請求項１】
会員制コンテンツサービスの入会を管理するための入会管理装置であって、
複数の構成員からなるグループの代表者の端末から、前記グループの登録の申し込みを受け付けるグループ登録部と、
前記グループ登録部が登録を受け付けたグループの構成員の端末に、会員登録を促す通知を送信する通知部と、
前記通知部から前記通知を受信したグループの構成員の端末から、前記構成員の仮の会員登録を受け付ける仮会員登録部と、
前記仮会員登録部が仮の会員登録を受け付けた構成員である仮構成員の数が所定の数に達したか否かを判定する判定部と、
前記判定部が、前記仮構成員の数が所定の数に達したと判断したことに応じ、前記仮構成員を正式な構成員に登録する本登録部と、
を備える入会管理装置。
【請求項２】
会員制コンテンツサービスの入会を管理するための入会管理装置であって、
複数の構成員からなるグループの代表者の端末から、前記グループの登録の申し込みを受け付けるグループ登録部と、
前記グループ登録部が登録を受け付けたグループの代表者の端末に、各構成員の端末へ転送された上で各構成員の登録を促す通知を送信する通知部と、
前記グループの代表者の端末から前記通知を転送された前記グループの構成員の端末から、前記構成員の仮の会員登録を受け付ける仮会員登録部と、
前記仮会員登録部が仮の会員登録を受け付けた構成員である仮構成員の数が所定の数に達したか否かを判定する判定部と、
前記判定部が、前記仮構成員の数が所定の数に達したと判断したことに応じ、前記仮構成員を正式な構成員に登録する本登録部と、
を備える入会管理装置。
【請求項３】
会員制コンテンツサービスの入会を管理するための入会管理方法であって、
複数の構成員からなるグループの代表者の端末から、前記グループの登録の申し込みを受け付けるステップと、
登録を受け付けたグループの構成員の端末に、会員登録を促す通知を送信するステップと、
前記通知を受信したグループの構成員の端末から、前記構成員の仮の会員登録を受け付けるステップと、
仮の会員登録を受け付けた構成員である仮構成員の数が所定の数に達したか否かを判定するステップと、
前記仮構成員の数が所定の数に達したと判断したことに応じ、前記仮構成員を正式な構成員に登録するステップと、
を含む入会管理方法。
【請求項４】
会員制コンテンツサービスの入会を管理するための入会管理方法であって、
複数の構成員からなるグループの代表者の端末から、前記グループの登録の申し込みを受け付けるステップと、
登録を受け付けたグループの代表者の端末に、各構成員の端末へ転送された上で各構成員の登録を促す通知を送信するステップと、
前記グループの代表者の端末から前記通知を転送された前記グループの構成員の端末から、前記構成員の仮の会員登録を受け付けるステップと、
仮の会員登録を受け付けた構成員である仮構成員の数が所定の数に達したか否かを判定するステップと、
前記仮構成員の数が所定の数に達したと判断したことに応じ、前記仮構成員を正式な構成員に登録するステップと、
を含む入会管理方法。
【請求項５】
請求項３または４に記載の入会管理方法をコンピュータに実行させるためのプログラム。
【発明の詳細な説明】
【技術分野】
【０００１】
本発明はソーシャルネットワークサービス（ＳＮＳ）などの各種の会員制ネットワークサービスにおいてユーザの入会を管理する技術に関する。
【背景技術】
【０００２】
近年、ソーシャルネットワークサービス（ＳＮＳ）と呼ばれるサービスが普及している。ＳＮＳとは、参加者が互いに友人を招待しあって、新たな友人関係を広げることを目的に開設されたＷｅｂサイトである。ＳＮＳには同じ関心や興味を持つユーザが集まるコミュニティというグループを形成し、コミュニティのＷｅｂサイトでは、コミュニティのメンバーが互いに共通の話題について情報交換し情報共有する。
【０００３】
特許文献１および２はかかる技術の一例である。特許文献１によると、複数人が一緒になって１つのグループとして会員登録できる。特許文献２によると、携帯端末用のソーシャルネットワークサービスを提供する。
【特許文献１】特開２００６−４３３５号公報
【特許文献２】特開２００６−２３８７６号公報
【発明の開示】
【発明が解決しようとする課題】
【０００４】
ＳＮＳでは、既存会員からの招待がなければ入会できない招待制を採用しており、既存の人間関係をサービス上に持ち込ませる（必ずサービス上に友達である会員がいる）ことで、活発なコミュニケーションやトラブルの少ない運営を実現している。しかし、招待制では、不特定多数への告知による入会プロモーションを行えないという制約が生じる。
【０００５】
本発明では、グループ入会を実現することで、サービス上に友達の全くいない会員が流入することを防ぎ、会員制ネットワークサービスの運営上の諸問題を回避しつつ、不特定多数からの入会を受け付けることを可能にする。
【課題を解決するための手段】
【０００６】
本発明は、会員制コンテンツサービスの入会を管理するための入会管理装置であって、複数の構成員からなるグループの代表者の端末から、グループの登録の申し込みを受け付けるグループ登録部と、グループ登録部が登録を受け付けたグループの構成員の端末に、会員登録を促す通知を送信する通知部と、通知部から通知を受信したグループの構成員の端末から、構成員の仮の会員登録を受け付ける仮会員登録部と、仮会員登録部が仮の会員登録を受け付けた構成員である仮構成員の数が所定の数に達したか否かを判定する判定部と、判定部が、仮構成員の数が所定の数に達したと判断したことに応じ、仮構成員を正式な構成員に登録する本登録部と、を備える。
【０００７】
この発明によると、グループの代表者が、自身も含めたグループの構成員の仮会員登録を一括して行うことができる。
【０００８】
同一グループの仮登録人数が所定数以上であれば、構成員の仮登録が本登録に変わる。このため、会員制コンテンツサービスへのグループ会員登録ができ、かつ所定数の会員本登録を一括して行うことで、不特定多数の会員が確保できる。入会したグループの構成員は、会員制コンテンツサービスを介して、互いにコミュニケーションを行うことが期待されるから、単に一人一人ばらばらに会員登録を募った場合よりも、会員制コンテンツサービスでのコミュニケーションが活発化し、商品の口コミ効果などが期待できる。
【０００９】
本発明は、会員制コンテンツサービスの入会を管理するための入会管理装置であって、複数の構成員からなるグループの代表者の端末から、グループの登録の申し込みを受け付けるグループ登録部と、グループ登録部が登録を受け付けたグループの代表者の端末に、各構成員の端末へ転送された上で各構成員の登録を促す通知を送信する通知部と、グループの代表者の端末から通知を転送されたグループの構成員の端末から、構成員の仮の会員登録を受け付ける仮会員登録部と、仮会員登録部が仮の会員登録を受け付けた構成員である仮構成員の数が所定の数に達したか否かを判定する判定部と、判定部が、仮構成員の数が所定の数に達したと判断したことに応じ、仮構成員を正式な構成員に登録する本登録部と、を備える。
【００１０】
この発明によると、グループの代表者から、グループの構成員に転送された会員登録通知に従って、各構成員が仮登録を行うことができる。
【００１１】
同一グループの仮登録人数が所定数以上であれば、構成員の仮登録が本登録に変わる。このため、会員制コンテンツサービスへのグループ会員登録ができ、かつ所定数の会員本登録を一括して行うことで、不特定多数の会員が確保できる。入会したグループの構成員は、会員制コンテンツサービスを介して、互いにコミュニケーションを行うことが期待されるから、単に一人一人ばらばらに会員登録を募った場合よりも、会員制コンテンツサービスでのコミュニケーションが活発化し、商品の口コミ効果などが期待できる。
【００１２】
本発明は、会員制コンテンツサービスの入会を管理するための入会管理方法であって、複数の構成員からなるグループの代表者の端末から、グループの登録の申し込みを受け付けるステップと、登録を受け付けたグループの構成員の端末に、会員登録を促す通知を送信するステップと、通知を受信したグループの構成員の端末から、構成員の仮の会員登録を受け付けるステップと、仮の会員登録を受け付けた構成員である仮構成員の数が所定の数に達したか否かを判定するステップと、仮構成員の数が所定の数に達したと判断したことに応じ、仮構成員を正式な構成員に登録するステップと、を含む。
【００１３】
本発明は、会員制コンテンツサービスの入会を管理するための入会管理方法であって、複数の構成員からなるグループの代表者の端末から、グループの登録の申し込みを受け付けるステップと、登録を受け付けたグループの代表者の端末に、各構成員の端末へ転送された上で各構成員の登録を促す通知を送信するステップと、グループの代表者の端末から通知を転送されたグループの構成員の端末から、構成員の仮の会員登録を受け付けるステップと、仮の会員登録を受け付けた構成員である仮構成員の数が所定の数に達したか否かを判定するステップと、仮構成員の数が所定の数に達したと判断したことに応じ、仮構成員を正式な構成員に登録するステップと、を含む。
【００１４】
上記の入会管理方法をコンピュータに実行させるためのプログラムも本発明に含まれる。
【発明の効果】
【００１５】
この発明によると、グループの代表者が、自身も含めたグループの構成員の仮会員登録を一括して行うことができる。あるいは、グループの代表者から、グループの構成員に転送された会員登録通知に従って、各構成員が仮登録を行うことができる。
【００１６】
同一グループの仮登録人数が所定数以上であれば、構成員の仮登録が本登録に変わる。このため、会員制コンテンツサービスへのグループ会員登録ができ、かつ所定数の会員本登録を一括して行うことで、不特定多数の会員が確保できる。入会したグループの構成員は、会員制コンテンツサービスを介して、互いにコミュニケーションを行うことが期待されるから、単に一人一人ばらばらに会員登録を募った場合よりも、会員制コンテンツサービスでのコミュニケーションが活発化し、商品の口コミ効果などが期待できる。
【発明を実施するための最良の形態】
【００１７】
＜第１実施形態＞
図１は本発明の好ましい実施形態に係るソーシャルネットワークサービス（ＳＮＳ）システムの概略構成を示す図である。このシステムでは、パソコン、携帯電話、ＰＤＡなどで構成された複数の端末１０１ａ、１０１ｂ、１０１ｃ、１０１ｄ・・（まとめて端末１０１で表す）同士が、インターネットなどのネットワークを経由してサーバ５０にアクセスすると、サーバ５０の仲介によって相手の投稿したコンテンツを閲覧でき、相互に情報交換できる。
【００１８】
サーバ５０は、グループ入会受付部１０および会員データベース（ＤＢ）１３を備えている。グループ入会受付部１０は、代表者申込受付部１１および入会登録情報受付部１２を含む。
【００１９】
図２に示すように、会員ＤＢ１３は、端末１０１のユーザの識別情報である「会員」、ユーザのプロフィールに関する「登録情報」、他ユーザとの人間関係を示す「トモダチ」、その他ユーザに関する情報（ユーザ情報）を記憶している。会員ＤＢ１３にユーザ情報が登録されたユーザ（登録者）の間だけで、サーバ５０の仲介によるコミュニケーション情報の交換が可能となる。
【００２０】
代表者申込受付部１１は、あるグループの代表者（ユーザＡ）の端末１０１ａから、新規の登録者になることを希望するグループの各構成員を一括して仮会員登録する申込を受け付ける。代表者申込受付部１１は、代表者からのグループの各構成員の仮登録申込を受け付けたことに応じ、代表者も含めた各構成員の端末１０１ａ、１０１ｂ、１０１ｃ、１０１ｄ・・に対し、会員登録を促す通知（入会案内）を送信する。この入会案内には、同一のグループの構成員が入会登録情報受付部１２へアクセスするための固有アドレス（ＵＲＬなど）が埋め込まれている。
【００２１】
入会登録情報受付部１２は、入会案内通知のアドレスに従ってアクセスしてきた各構成員の端末１０１ａ、１０１ｂ、１０１ｃ、１０１ｄ・・から、ユーザ情報の入力を受け付ける。入会登録情報受付部１２は、入力されたユーザ情報を、一時的に保管しておき、仮のユーザ情報とする。
【００２２】
そして、入会登録情報受付部１２は、同一の入会案内通知に対応して入力された仮のユーザ情報が、所定数（例えば５）に達したか否かを判断する。仮のユーザ情報が、所定数に達した場合、保管していたユーザ情報の全てを一括して、会員データベース１３に格納する。これにより、あるグループの構成員の全てが登録者となり、真正な会員としてサービスを利用できる。
【００２３】
なお、従来のＳＮＳシステムでは、その開設時に、登録者自体が存在しないから、ある程度登録者を確保するために、事前の招待状の通知なく自由に各個人のユーザ情報を登録できるようにしている方式を採っている。本実施形態ではこれとは異なり、ある所定数以上の構成員を擁するグループを一括して登録する方式を採る。
【００２４】
図３は本システムで実行される会員登録処理の流れを示す。
【００２５】
Ｓ１では、グループ入会受付部１０の代表者申込受付部１１は、代表者Ａの端末１０１ａから、代表者を含むグループ構成員Ａ、Ｂ、Ｃ、Ｄ・・の端末１０１ａ、１０１ｂ、１０１ｃ、１０１ｄ・・のメールアドレスの入力を受け付ける。例えば図４に示すような代表者用の入会申込画面を介し、代表者申込受付部１１が代表者を含む各構成員のメールアドレスの入力を受け付けるとよい。このアドレスの入力欄は、所定数以上設けられていなければならない。
【００２６】
Ｓ２では、グループ入会受付部１０の入会登録情報受付部１２は、代表者申込受付部１１の受け付けたメールアドレスに対し、入会案内通知メールを送信する。各グループ構成員に送られるメールには、入会登録情報受付部１２へアクセスするための固有のコード（ＵＲＬ）が埋め込まれており、コードは同一グループで共通している。
【００２７】
Ｓ３では、グループ入会受付部１０の入会登録情報受付部１２は、メールのＵＲＬに従ってアクセスしてきた端末１０１ａ、１０１ｂ、１０１ｃ、１０１ｄ・・から、ユーザ情報の入力を受け付ける。例えば図５に示すようなユーザ情報の入力画面を介し、入会登録情報受付部１２が各構成員の入会に必要なユーザ情報の入力を受け付けるとよい。
【００２８】
Ｓ４では、入会登録情報受付部１２は、端末１０１から入力されたユーザ情報を保存する。この際、構成員のユーザ情報が保存されたことを端末１０１ａに通知してもよい。
【００２９】
Ｓ５では、入会登録情報受付部１２は、ユーザ情報が入力されたユーザの数が、所定の数以上に達したか否かを判断する。所定数以上に達した場合はＳ６に進む。所定数以上に達しない場合はＳ４に戻る。なお、一定期間（例えば１週間）ユーザの数が所定数以上に達しない場合、入会登録情報受付部１２は、保存したユーザ情報を破棄してもよい。
【００３０】
Ｓ６では、入会登録情報受付部１２は、保存していたユーザ情報を、会員データベース１３に格納する。これにより、同一グループの構成員が一括して本会員に登録される。
【００３１】
以上説明した通り、本システムでは、会員制コンテンツサービスへのグループ会員登録ができ、かつ所定数以上の会員本登録を一括して行うことで、不特定多数の会員が確保できる。入会したグループの構成員は、会員制コンテンツサービスを介して、互いにコミュニケーションを行うことが期待されるから、単に個々人ばらばらに会員登録を募った結果、孤立した会員ばかりでコミュニケーションが不活発な状態に比べ、会員制コンテンツサービスでのコミュニケーションが活発化し、商品の口コミ効果などが期待できる。また、相互に人間関係が存在するグループを一括して新規登録するから、単に個々人ばらばらに会員登録を募った場合よりも、トラブルの少ない会員制コンテンツサービスの運営を実現することができる。
【００３２】
＜第２実施形態＞
図６は、上記第１実施形態と同等の構成を備えるシステムで実行される会員登録処理の流れを示す。
【００３３】
Ｓ１１では、グループ入会受付部１０の代表者申込受付部１１は、代表者Ａの端末１０１ａから、代表者の端末１０１ａのメールアドレスの入力を受け付ける。例えば図６に示すような代表者用の入会申込画面を介し、代表者申込受付部１１が代表者のメールアドレスの入力を受け付けるとよい。あるいは代表者の端末１０１ａからグループ入会受付部１０へ空メールを送ることで入会申込画面が返信されるようにしてもよい。なお、入会申込画面には、グループの構成員の本登録に必要な所定数を表示しておくことが好ましい。
【００３４】
Ｓ１２では、グループ入会受付部１０の入会登録情報受付部１２は、代表者申込受付部１１の受け付けたメールアドレスに対し、入会案内通知メールを送信する。各グループ構成員に送られるメールには、入会登録情報受付部１２へアクセスするための固有のコード（ＵＲＬ）が埋め込まれている。
【００３５】
Ｓ１３では、代表者の端末１０１ａは当該メールを受信すると、代表者の端末１０１ａから代表者以外の他の構成員の端末１０１ｂ、１０１ｃ、１０１ｄ・・に対し、メールを転送する。どのユーザの端末に転送するかは代表者が自由に決定でき、例えば端末１０１ａが記憶するアドレス帳から選択することもできる。このため、第１実施形態よりもグループ構成員の仮会員登録の自由度が高い。なお、入会登録情報受付部１２は、代表者自身の端末１０１ａに、入会案内通知メールを送信する。
【００３６】
Ｓ１４では、グループ入会受付部１０の入会登録情報受付部１２は、メールのＵＲＬに従ってアクセスしてきた端末１０１ａ、１０１ｂ、１０１ｃ、１０１ｄ・・から、ユーザ情報の入力を受け付ける。例えば図７に示すようなユーザ情報の入力画面を介し、入会登録情報受付部１２が代表者以外の各構成員の入会に必要なユーザ情報の入力を受け付けるとよい。なお、入会案内通知メールの転送元となった代表者のアドレス「a@domain.com」は、必ずしもユーザ情報の入力画面に表示する必要はない。
【００３７】
Ｓ１５では、入会登録情報受付部１２は、端末１０１から入力されたユーザ情報を保存する。
【００３８】
Ｓ１６では、入会登録情報受付部１２は、ユーザ情報が入力されたユーザの数が、所定の数以上に達したか否かを判断する。所定数以上に達した場合はＳ１７に進む。所定数以上に達しない場合はＳ１５に戻る。なお、一定期間（例えば１週間）ユーザの数が所定数以上に達しない場合、入会登録情報受付部１２は、保存した入会情報を破棄してもよい。
【００３９】
Ｓ１７では、入会登録情報受付部１２は、保存していたユーザ情報を、会員データベース１３に格納する。これにより、あるグループの構成員の全てが登録者となり、真正な会員としてサービスを利用できる。
【００４０】
以上説明した通り、本システムでは、会員制コンテンツサービスへのグループ会員登録ができ、かつ所定数以上の会員本登録を一括して行うことで、不特定多数の会員が確保できる。入会したグループの構成員は、会員制コンテンツサービスを介して、互いにコミュニケーションを行うことが期待されるから、単に個々人ばらばらに会員登録を募った結果、孤立した会員ばかりでコミュニケーションが不活発な状態に比べ、会員制コンテンツサービスでのコミュニケーションが活発化し、商品の口コミ効果などが期待できる。また、相互に人間関係が存在するグループを一括して新規登録するから、単に個々人ばらばらに会員登録を募った場合よりも、トラブルの少ない会員制コンテンツサービスの運営を実現することができる。
【図面の簡単な説明】
【００４１】
【図１】ソーシャルネットワークサービス（ＳＮＳ）システムの概略構成図
【図２】会員データベースの情報の概念説明図
【図３】第１実施形態に係る会員登録処理のフローチャート
【図４】第１実施形態に係るグループ入会申込画面の図
【図５】第１実施形態に係る入会情報入力画面の図
【図６】第２実施形態に係る会員登録処理のフローチャート
【図７】第２実施形態に係るグループ入会申込画面の図
【図８】第２実施形態に係る入会情報入力画面の図
【符号の説明】
【００４２】
１０：グループ入会受付部、１１：代表者申込受付部、１２：入会登録情報受付部、１３：会員データベース、５０：サーバ、１０１：端末
【図１】
2008234166.tif 000003
【図２】
2008234166.tif 000004
【図３】
2008234166.tif 000005
【図４】
2008234166.tif 000006
【図５】
2008234166.tif 000007
【図６】
2008234166.tif 000008
【図７】
2008234166.tif 000009
【図８】
2008234166.tif 000010